(57)【特許請求の範囲】
【請求項１】
給湯装置に連結された配管類を覆う配管カバーであって、
支持フレームと、
前記支持フレームの前面に取り付けられるカバー部材と、
前記支持フレームの前面下側に設置され、前記カバー部材と対向する面にスリットが形成された前面枠と、
前記カバー部材の下端に設けられて、前記支持フレームの前記前面枠にある前記スリットに係止される係止突部と、
前記係止突部に設けられて、前記カバー部材の下端から下方に向かって突出する垂下部と、該垂下部の端部から前記支持フレーム側または前記支持フレームと反対側に突出する立ち上り部とを有し、固定ねじによる固定が解除された際に、前記スリットに鉤止される鉤止部と、
を備えることを特徴とする配管カバー。
【請求項２】
前記支持フレームの前記スリットは前記鉤止部を係止させる受け部を備えることを特徴とする請求項１に記載の配管カバー。
【請求項３】
前記支持フレームの前面に、対向する前記カバー部材に向かって突出して設けられた張出部を備え、
該張出部は、前記カバー部材が被せられるとともに、固定ねじによって前記カバー部材に固定されることを特徴とする請求項１または請求項２に記載の配管カバー。
【請求項４】
配管類を覆う配管カバーを備える給湯装置であって、
給湯装置本体と、
前記給湯装置本体に取り付けられ、または前記給湯装置本体が固定される固定部材に取り付けられる支持フレームと、
前記支持フレームの前面に取り付けられるカバー部材と、
前記支持フレームの前面下側に設置され、前記カバー部材と対向する面にスリットが形成された前面枠と、
前記カバー部材の下端に設けられて、前記支持フレームの前記前面枠にある前記スリットに係止される係止突部と、
前記係止突部に設けられて、前記カバー部材の下端から下方に向かって突出する垂下部と、該垂下部の端部から前記支持フレーム側または前記支持フレームと反対側に突出する立ち上り部とを有し、固定ねじによる固定が解除された際に、前記スリットに鉤止される鉤止部と、
を備えることを特徴とする給湯装置。
【発明の詳細な説明】
【技術分野】
【０００１】
本発明はたとえば、給湯装置に接続される配管類を覆うカバーに関する。
【背景技術】
【０００２】
給湯装置は屋外に設置され、建物の壁面に配設されるのが一般的である。この給湯装置には配管類を防護する配管カバーが併設される。高層マンションなどの高層階の壁面に給湯装置が設置された場合、配管カバーは強風に曝されることになる。この配管カバーには壁掛型や据置型などがあり、さらには防振機能を持つ防振架台型などもある。
【０００３】
このような配管カバーに関し、給湯装置の下方に配置される配管カバーが給湯装置側とねじにより連結されることが知られている（たとえば、特許文献１）。配管カバーのカバー部材を給湯装置側と弾性的に係合させて密着固定させることが知られている（たとえば、特許文献２）。また、固定構造について、カバー本体にある突部と固定対象側の部材とを固定ねじで固定し、この固定ねじには先端側ねじ部と基端側ねじ部との間に凹溝部を備えるものを用いることが知られている（たとえば、特許文献３）。
【先行技術文献】
【特許文献】
【０００４】
【特許文献１】特開２００７−２９８２００号公報
【特許文献２】特開２０１４−１０５９１０号公報
【特許文献３】特開２００６−３００２７９号公報
【発明の概要】
【発明が解決しようとする課題】
【０００５】
ところで、配管カバーの前面側に配置されるカバー部材は、配管カバー内に設置される配管類の連結や、元弁の開閉操作のために取り外し可能な取付状態に維持される。高層階の壁面に設置された配管カバーにはたとえば、風速４０〔ｍ／ｓ〕程度の強風を受ける場合がある。このような強風が下側開口部などより配管カバーに吹き込むと、配管カバーが内圧上昇により膨らみ、内圧低下により萎むという形状変動を生じる。このような形状変動が繰り返されると、固定ねじが固定強度を超える応力を受け、固定ねじの緩みやそのねじ部が破損し、固定が破壊されてしまう。ねじ固定が解除されると、カバー部材は係止のみとなり、配管カバーからカバー部材が離脱するといった課題がある。
【０００６】
そこで、本発明の目的は、上記課題に鑑み、強風などの外力によってねじ固定が破壊されても、カバー部材の脱落を防止することにある。
【課題を解決するための手段】
【０００７】
上記目的を達成するため、本発明の一側面によれば、給湯装置に連結された配管類を覆う配管カバーであって、支持フレームと、前記支持フレームの前面に取り付けられるカバー部材と、前記支持フレームの前面下側に設置され、前記カバー部材と対向する面にスリットが形成された前面枠と、前記カバー部材の下端に設けられて、前記支持フレームの前記前面枠にある前記スリットに係止される係止突部と、前記係止突部に設けられて、前記カバー部材の下端から下方に向かって突出する垂下部と、該垂下部の端部から前記支持フレーム側または前記支持フレームと反対側に突出する立ち上り部とを有し、固定ねじによる固定が解除された際に、前記スリットに鉤止される鉤止部とを備える。
【０００８】
上記配管カバーにおいて、前記支持フレームの前記スリットは前記鉤止部を係止させる受け部を備えてもよい。
【０００９】
上記配管カバーにおいて、前記支持フレームの前面に、対向する前記カバー部材に向かって突出して設けられた張出部を備え、該張出部は、前記カバー部材が被せられるとともに、固定ねじによって前記カバー部材に固定されてもよい。
【００１０】
上記目的を達成するため、本発明の一側面によれば、配管類を覆う配管カバーを備える給湯装置であって、給湯装置本体と、前記給湯装置本体に取り付けられ、または前記給湯装置本体が固定される固定部材に取り付けられる支持フレームと、前記支持フレームの前面に取り付けられるカバー部材と、前記支持フレームの前面下側に設置され、前記カバー部材と対向する面にスリットが形成された前面枠と、前記カバー部材の下端に設けられて、前記支持フレームの前記前面枠にある前記スリットに係止される係止突部と、前記係止突部に設けられて、前記カバー部材の下端から下方に向かって突出する垂下部と、該垂下部の端部から前記支持フレーム側または前記支持フレームと反対側に突出する立ち上り部とを有し、固定ねじによる固定が解除された際に、前記スリットに鉤止される鉤止部とを備える。                                                                             
【発明の効果】
【００１１】
本発明によれば、次のいずれかの効果が得られる。
【００１２】
(1) 強風などの外力を受けてねじ固定が破壊されても、カバー部材を支持する支持フレームからカバー部材の脱落を防止できる。
【００１３】
(2) カバー部材が鉤止部によって支持フレーム側に鉤止されて垂下することとなり、強風などの外力がカバー部材に作用しても、カバー部材がその外力によって移動するのみで、支持フレーム側からの離脱を防止できる。
【００１４】
(3) ねじ固定が破壊されてカバー部材が鉤止部によって支持された状態では、高層階に設置された場合、その形態変化からカバー部材の異常状態を容易に視認することができ、迅速な対応に寄与することができる。
【図面の簡単な説明】
【００１５】
【図１】給湯装置および配管カバーの一実施の形態を示す分解斜視図である。
【図２】フロントカバーを背面側から見た係止構造を示す斜視図である。
【図３】フロントカバーの取付状態および脱落防止状態を説明するための図である。
【図４】変形例１に係るフロントカバーおよびカバー本体の一部を示す図である。
【図５】変形例２に係るフロントカバーおよびカバー本体の一部を示す図である。
【図６】変形例３に係るフロントカバーおよびカバー本体の一部を示す図である。
【図７】変形例４に係るフロントカバーおよびカバー本体の一部を示す図である。
【図８】変形例５に係るフロントカバーおよびカバー本体の一部を示す図である。
【図９】変形例６に係るフロントカバーおよびカバー本体の一部を示す図である。
【図１０】変形例６に係る係止突部の変形例を示す図である。
【発明を実施するための形態】
【００１６】
＜給湯装置および配管カバー＞
【００１７】
図１は、給湯装置および配管カバーの一実施の形態を示している。
【００１８】
この給湯装置２には装置本体４が備えられ、この装置本体４の下方には配管カバー６が設置される。これら装置本体４および配管カバー６は家屋の壁面８に取り付けられる。これら装置本体４または壁面８は、配管カバー６を固定する固定部材の一例である。配管カバー６には壁面８から引き出されて装置本体４に連結される、図示しない給水配管、給湯配管、ガス配管および電気コードなどが配設される。この配管カバー６には角筒状のカバー本体１０が備えられ、このカバー本体１０の前面にフロントカバー１２が取り外し可能に取り付けられる。カバー本体１０は支持フレームの一例であり、フロントカバー１２はカバー部材の一例である。
【００１９】
カバー本体１０には左右に側面板１４−１、１４−２が備えられ、側面板１４−１、１４−２の間には前面上側に前面上枠１６、前面下側に前面下枠１８が設置され、背面上側に背面上固定枠２０、背面下側に背面下固定枠２２が備えられている。
【００２０】
前面上枠１６は固定ねじ２４により装置本体４の固定部２６に固定されて装置本体４と一体化され、背面上固定枠２０は装置本体４の下部に固定されるとともに壁面８に図示しない固定手段たとえば、固定ねじなどで固定される。
【００２１】
前面上枠１６には前面側に突出し、フロントカバー１２が被せられる張出部２８が形成されている。この張出部２８の前面には一対の突出部３０が形成され、この突出部３０に形成されたねじ孔３２にはフロントカバー１２の貫通孔３４を挿通させた固定ねじ３６が取り付けられる。
【００２２】
前面下枠１８には一対のスリット３８が形成されている。スリット３８はたとえば、長孔である。各スリット３８にはフロントカバー１２の下縁部４０からカバー本体１０に向かって（図中Ｘ軸方向に）突出させた一対の係止突部４２が挿入されて係止される。つまり、スリット３８に係止突部４２を係止させたフロントカバー１２は、カバー本体１０の前面上枠１６の張出部２８に被せられ、固定ねじ３６によって前面上枠１６に固定され、カバー本体１０と一体化される。
【００２３】
＜フロントカバー１２の係止構造＞
【００２４】
図２は、フロントカバー１２をカバー本体１０に係止するための係止構造を、フロントカバー１２の背面側より示している。図１と同一部分には同一符号を付してある。
【００２５】
フロントカバー１２はたとえば、金属板材料で板金加工により成形されている。このフロントカバー１２の下縁側には、カバー本体１０に向かって（Ｘ軸方向に）折り曲げられた下縁部４０が形成されている。この下縁部４０には既述の係止突部４２が一体に形成されている。係止突部４２の幅Ｗ１はスリット３８の幅Ｗ２より狭い幅（Ｗ１＜Ｗ２）に形成されている。
【００２６】
係止突部４２には、カバー本体１０に向かって（図中Ｘ軸方向に）突出する突出部４２−１が下縁部４０の一部を延長して形成されている。この突出部４２−１の突出幅Ｗ４は前面下枠１８の厚みｄ１に対し、より大きく（ｄ１＜Ｗ４）形成されている。
【００２７】
係止突部４２には、突出部４２−１の端部から下縁部４０の下方に向かって（図中Ｚ軸方向に）垂下する垂下部４２−２が形成されている。この垂下部４２−２の垂下長Ｌ１はスリット３８の幅Ｗ３より大きく、係止突部４２がスリット３８に挿入容易な長さにすればよい。スリット３８の幅Ｗ３は、係止突部４２の屈曲部が通過可能な大きさとすればよい。
【００２８】
この係止突部４２には垂下部４２−２の下端部からカバー本体１０に向かって（図中Ｘ軸方向に）突出する立ち上り部４２−３が形成されている。すなわち係止突部４２には、垂下部４２−２および立ち上り部４２−３で鉤止部４４が形成されている。この鉤止部４４の突出幅Ｗ５はスリット３８に挿入されてフロントカバー１２の脱落を防止できる程度の支持長さ（たとえば、Ｗ５＞Ｗ３）とすればよい。この鉤止部４４に対し、スリット３８の周囲部は鉤止部４４を受け止める受け部の一例である。
【００２９】
この一実施の形態では、突出部４２−１と垂下部４２−２との成す角度θ１（図３のＡ）をたとえば、θ１＝９０〔°〕と設定しているが、この角度θ１は９０〔°〕より大きいまたは小さい角度としてもよい。
【００３０】
垂下部４２−２と立ち上り部４２−３の成す角度θ２（図３のＡ）をたとえば、θ２＝９０〔°〕と設定しているが、角度θ２は９０〔°〕より大きいまたは小さい角度としてもよい。
【００３１】
＜フロントカバー１２の固定およびカバー本体１０からの脱落防止＞
【００３２】
図３のＡは、フロントカバー１２の取付け状態を示している。フロントカバー１２の下縁部４０にある係止突部４２は、カバー本体１０の前面下枠１８のスリット３８に差し込まれて係止される。フロントカバー１２の上縁部は固定ねじ３６によりカバー本体１０の前面上枠１６の突出部３０にねじ付けられて固定される。固定ねじ３６は、ボス部３６−１側から基端側ねじ部３６−２、径小部３６−３および先端側ねじ部３６−４を備える。カバー本体１０側の突出部３０のねじ孔３２に基端側ねじ部３６−２がねじ込まれ、突出部３０とボス部３６−１との間にフロントカバー１２が挟み込まれて固定される。
【００３３】
図３のＢは、固定ねじ３６の固定の破壊状態を示している。強風などの外力を受けて固定ねじ３６の固定が破壊されると、フロントカバー１２はカバー本体１０に対し、係止突部４２とスリット３８の接触点を支点にカバー本体１０から離れる方向に回動する。このとき、係止突部４２の鉤止部４４が前面下枠１８のスリット３８より上側面部に当たり、支持される。これにより、フロントカバー１２のカバー本体１０からの脱落を防止することができる。
【００３４】
＜一実施の形態の効果＞
【００３５】
以上説明した一実施の形態によれば、次の効果が得られる。
【００３６】
(1) カバー本体１０にフロントカバー１２の下縁側が係止されるとともに、フロントカバー１２の上縁側が固定ねじ３６によって固定されるので、フロントカバー１２はカバー本体１０に取外し可能に強固に固定することができる。
【００３７】
(2) 強風などの外力を受け、固定ねじ３６による固定が解除された場合、カバー本体１０の前面下枠１８に係止突部４２の鉤止部４４が係止されるので、フロントカバー１２がカバー本体１０に維持され、カバー本体１０からフロントカバー１２の脱落を防止できる。
【００３８】
(3) 固定ねじ３６による固定が解除されたフロントカバー１２が、カバー本体１０から離れる方向に回動すると、その回動モーメントが係止突部４２を通して前面下枠１８のスリット３８に作用し、係止突部４２と前面下枠１８との係止状態をより抜け止機能を強固にする。このため、カバー本体１０から回動状態にフロントカバー１２が維持される。脱落することなく、位置的変化を来したフロントカバー１２の固定ねじ３６の固定解除を容易に視認することができる。高層階にある給湯装置２の異常を、留守宅などの家屋内に入ることなく容易に確認できる。
【００３９】
＜変形例１＞
【００４０】
図４のＡは、変形例１に係るフロントカバー１２およびカバー本体１０の一部を示している。
【００４１】
この変形例１では、係止突部４２に既述の立ち上り部４２−３（図２）と反対方向に突出部４２−４を形成して鉤止部４６が形成されている。この場合、垂下部４２−２の垂下長Ｌ１、つまり垂下部４２−２によって設定される突出部４２−１と立ち上り部４２−３との間隔が前面下枠１８のスリット３８の幅Ｗ６と同等もしくはそれより大きく設定されている。
【００４２】
そして、前面下枠１８側のスリット３８の高さ方向のスリット幅Ｗ６は、係止突部４２の突出部４２−１、鉤止部４６の一例である垂下部４２−２および突出部４２−４の貫通が可能な幅に形成される。フロントカバー１２の取り付け角度により、Ｗ６≧Ｌ１やＷ６≧Ｗ７としてもよい。突出部４２−１の突出幅Ｗ７は、突出部４２−１の突出幅Ｗ４より前面下枠１８を形成する金属板素材の厚さｄ１だけ小さくてもよい（たとえば、Ｗ７＝Ｗ４―ｄ１）。
【００４３】
このような係止構造を備えれば、強風などの外力を受けて固定ねじ３６の固定が破壊されると、フロントカバー１２はカバー本体１０に対し、係止突部４２とスリット３８の接触点を支点にカバー本体１０から離れる方向に回動すると、図４のＢに示すように、係止突部４２がスリット３８に係止される。この場合、スリット３８内を係止突部４２の垂下部４２−２が移動しても、鉤止部４６が図４のＣに示すように、スリット３８のカバー本体１０側面に掛かり、フロントカバー１２のカバー本体１０からの脱落を防止できる。
【００４４】
＜変形例１の効果＞
【００４５】
この変形例１では、スリット３８の高さ方向のスリット幅Ｗ６を大きくできるので、前面下枠１８に対するフロントカバー１２の係止操作が容易であり、施工工事を容易化できる。
【００４６】
＜変形例２＞
【００４７】
図５のＡは、変形例２に係るフロントカバー１２およびカバー本体１０の一部を示している。
【００４８】
この変形例２では、係止突部４２に既述の突出部４２−１、垂下部４２−２、立ち上り部４２−３（図２）に対し、突出部４２−５を上方に屈曲させて立ち上り部４２−６を形成し、鉤止部４８が形成されている。この例では、鉤止部４８が垂下部４２−２、突出部４２−５および立ち上り部４２−６により構成される。
【００４９】
これに対し、前面下枠１８のスリット３８の高さ方向のスリット幅Ｗ９は、これら突出部４２−１、垂下部４２−２、突出部４２−５および立ち上り部４２−６が貫通可能な大きさ（たとえば、Ｗ８より大）に形成されている。また、スリット３８の上縁部５０の幅Ｗ１０を突出部４２−５の幅Ｗ５より小さく設定すればよい。たとえば、Ｗ５はＷ９より大きくすればよい。
【００５０】
このような係止構造を備えれば、強風などの外力を受けて固定ねじ３６の固定が破壊されると、フロントカバー１２はカバー本体１０に対し、係止突部４２とスリット３８の接触点を支点にカバー本体１０から離れる方向に回動した場合、図５のＢに示すように、係止突部４２がスリット３８に係止される。この場合、前面下枠１８の上縁部５０には図５のＣに示すように、係止突部４２の垂下部４２−２、鉤止部４８を構成する屈曲部が嵌まり込み、強固な係止状態が形成される。これにより、スリット３８内を係止突部４２の垂下部４２−２が移動しても、フロントカバー１２のカバー本体１０からの脱落を防止できる。
【００５１】
＜変形例２の効果＞
【００５２】
(1) この変形例２では、変形例１と同様に、スリット３８の高さ方向のスリット幅Ｗ９を大きくでき、前面下枠１８に対するフロントカバー１２の係止操作が容易になる。
【００５３】
(2) フロントカバー１２の自重をスリット３８の上縁部５０に作用させ、この上縁部５０に対するフロントカバー１２の鉤止部４４、４８の係止が強固になり、フロントカバー１２の落下を防止できる。
【００５４】
(3) 図５のＢ、Ｃに示すように、カバー本体１０に維持されたフロントカバー１２は、係止突部４２をスリット３８に押し込み、固定ねじ３６による固定を修復すれば、図３のＡに示す状態に容易に戻すことができる。
【００５５】
＜変形例３＞
【００５６】
図６は、変形例３に係るフロントカバー１２およびカバー本体１０の一部を示している。
【００５７】
この変形例３では、図２に示す一対の係止突部４２を単一化したものである。この係止突部４２の横幅Ｗ１１はたとえば、既述の一対の係止突部４２を外縁幅とすればよく、フロントカバー１２の横幅の２分の１以上の大きさとすればよい。この場合、係止突部４２も単一化され、この係止突部４２には突出部４２−７、垂下部４２−８および突出部４２−９が備えられ、鉤止部５０が形成されている。
【００５８】
これに対し、前面下枠１８には、係止突部４２が挿入可能なスリット幅Ｗ１２とするスリット５２を形成すればよい。この場合、スリット５２のスリット幅Ｗ１２が大きくなったことに伴い、前面下枠１８には補強部５４が形成されている。この補強部５４は前面下枠１８の上縁をたとえば、直角に折り曲げて形成すればよい。
【００５９】
この変形例３において、鉤止部５０は、変形例１（図４）と同様に図６に示す方向と反対方向に形成してもよく、変形例２（図５）と同様に第２の鉤止部４８を形成してもよい。
【００６０】
＜変形例３の効果＞
【００６１】
(1) この変形例３においても、図１ないし図３に示す実施の形態、変形例１または変形例２と同様の効果が得られる。
【００６２】
(2) カバー本体１０にフロントカバー１２を取り付ける場合、単一の係止突部４２をカバー本体１０側の単一のスリット５２に挿入すればよく、係止操作が容易である。
【００６３】
＜変形例４＞
【００６４】
図７のＡは、変形例４に係るフロントカバー１２およびカバー本体１０の一部を示している。図７のＡにおいて、図２と同一部分には同一符号を付してある。
【００６５】
この変形例４では、図２に示すフロントカバー１２を用いる。これに対し、前面下枠１８にスリット３８を形成する際に切り起した切り起し片により補強部５４が備えられる。この補強部５４は前面下枠１８の内面側に折り曲げられ、スリット３８の上縁側に形成されている。これにより、スリット３８の上縁部５０が補強部５４で補強されている。この補強部５４は、鉤止部４４を受け止める受け部の一例である。
【００６６】
このような係止構造を備えれば、強風などの外力を受けて固定ねじ３６の固定が破壊された場合、図７のＢに示すように、係止突部４２がスリット３８に係止される。この場合、前面下枠１８の上縁部５０には図７のＣに示すように、係止突部４２の垂下部４２−２、立ち上り部４２−３からなる鉤止部４４が嵌まり込み、スリット３８の上側の上縁部５０および補強部５４に当たって係止され、強固な係止状態が形成される。これにより、スリット３８内を係止突部４２の垂下部４２−２が移動しても、フロントカバー１２のカバー本体１０からの脱落を防止できる。
【００６７】
＜変形例４の効果＞
【００６８】
(1) この変形例４においても、図１ないし図３に示す実施の形態、変形例１ないし３と同様の効果が得られる。
【００６９】
(2) カバー本体１０とのねじ固定が解除されたフロントカバー１２のカバー本体１０に対する係止状態が強固となり、しかもスリット３８の上縁部５０が補強部５４によって強化される。補強部５４は、スリット３８の形成時において、前面下枠１８に用いられる金属部材からスリット３８を抜く際に生じる部材の折り曲げによって作成してもよく、この部材を用いれば別部材を用いる必要がない。また、別部材を溶接などで固定してもよい。強風などの外力を受けても、カバー本体１０からフロントカバー１２の脱落を防止できる。
【００７０】
(3) スリット３８の上縁部５０が補強部５４によって強化されるので、ねじ固定が解除されて可動状態になったフロントカバー１２に強風などの外力を受けても、スリット３８とフロントカバー１２との係止状態を維持することができる。
【００７１】
＜変形例５＞
【００７２】
図８のＡは、変形例５に係るフロントカバー１２およびカバー本体１０の一部を示している。図８のＡにおいて、図５と同一部分には同一符号を付してある。
【００７３】
この変形例５では、係止突部４２の先端側に形成される立ち上り部４２−６（図５のＡ）に対し、変形例３と逆方向に垂下部４２−１０が形成されている。これにより、垂下部４２−２、４２−１０が突出部４２−５を挟んで平行に形成されている。この鉤止部５６では、突出部４２−７によって突出部４２−５が補強されている。前面下枠１８は変形例２と同様である。
【００７４】
このような係止構造を備えれば、強風などの外力を受けて固定ねじ３６の固定が破壊された場合、図８のＢに示すように、係止突部４２がスリット３８に係止される。この場合、前面下枠１８の上縁部５０には図８のＣに示すように、係止突部４２の鉤止部４４がスリット３８の上縁部５０に当たって係止される。この場合、突出部４２−５が先端側の垂直部４２−１０により補強されているので、スリット３８内を係止突部４２の垂下部４２−２が移動しても、強固な係止状態が維持され、フロントカバー１２のカバー本体１０からの脱落を防止できる。
【００７５】
＜変形例５の効果＞
【００７６】
(1) この変形例５においても、図１ないし図３に示す実施の形態、変形例１ないし４と同様の効果が得られる。
【００７７】
(2) カバー本体１０とのねじ固定が解除されたフロントカバー１２のカバー本体１０に対する係止状態が強固となり、しかもスリット３８の上縁部５０に係止される鉤止部５６が垂直部４２−５で強化されているので、強風などの外力を受けても、カバー本体１０からフロントカバー１２の脱落を防止できる。
【００７８】
＜変形例６＞
【００７９】
図９のＡは、変形例６に係るフロントカバー１２およびカバー本体１０の一部を示している。図９のＡにおいて、図５と同一部分には同一符号を付してある。
【００８０】
この変形例６では、係止突部４２の突出部４３の先端側両縁部に鉤止部４４の変形例である一対の張出部５８が形成されている。張出部５８の幅Ｗ１３は、鉤止部４４の幅Ｗ１より、張出部５８によって拡大されている。前面下枠１８は変形例２と同様である。この変形例６のスリット３８にはスリット幅Ｗ１４−１のスリット部３８−１とスリット幅Ｗ１４−２のスリット部３８−２とを備えてもよい。この場合、スリット３８に係止突部４２を挿通させ、鉤止部４４の変形例である張出部５８で鉤止させるため、張出幅Ｗ１３、スリット幅Ｗ１４−１、Ｗ１４−２の大小関係は、Ｗ１４−２＞Ｗ１３＞Ｗ１４−１とすればよい。
【００８１】
このような張出部５８を左右に備えた係止突部４２では、図９のＢに示すように、スリット部３８−２に係止突部４２を貫通させ、張出部５８をスリット部３８−１に係止させることができる。つまり、フロントカバー１２をこの係止によって、カバー本体１０側に固定することができる。
【００８２】
このような係止構造を備えれば、強風などの外力を受けて固定ねじ３６の固定が破壊された場合、図９のＢに示すように、係止突部４２がスリット３８に係止される。図１０のＢに示す場合、係止突部４２の鉤止部４４の張出部５８がスリット３８内に拘束されて係止される。図１０のＡに示す場合、スリット３８内を係止突部４２の垂下部４２−２が移動しても、強固な係止状態が維持され、フロントカバー１２のカバー本体１０からの脱落を防止できる。この変形例６では、スリット３８にスリット部３８−１をスリット部３８−２の上下に備えているが、スリット部３８−１は一方のみでもよい。
【００８３】
係止突部４２は、図１０のＡに示すように、前面下枠１８に向かって屈曲させ、突出部４３−１、垂下部４３−２および突出部４３−３を含む屈曲部を形成し、突出部４３−３の先端側左右部に張出部５８を設けてもよい。突出部４３−３および一対の張出部５８は、既述の鉤止部４４の一例である。この例では、突出部４３−１、４３−３を平行に形成しているが、非平行であってもよい。また、係止突部４２は、図１０のＢに示すように、突出部４３−３を省略し、垂下部４３−２の先端側左右部に一対の張出部５８を設けてもよい。この場合、垂下部４３−２および一対の張出部５８は、既述の鉤止部４４の一例である。
【００８４】
＜変形例６の効果＞
【００８５】
(1) この変形例６においても、図１ないし図３に示す実施の形態、変形例１ないし５と同様の効果が得られる。
【００８６】
(2) カバー本体１０とのねじ固定が解除されたフロントカバー１２がスリット３８に対する係止突部４２の張出部５８で鉤止されるので、強風などの外力を受けても、カバー本体１０からフロントカバー１２の脱落を防止できる。
【００８７】
〔他の実施の形態〕
【００８８】
(a) 上記実施の形態では、配管カバー６の取付対象として給湯装置２を例示したが、配管カバー６は給湯装置２以外の機器における配管類のカバーに用いてもよい。
【００８９】
(b) 給湯装置２は、瞬間湯沸器などの燃焼器であってもよい。
【００９０】
以上説明したように、本発明の配管カバーおよび給湯装置の最も好ましい実施の形態等について説明した。本発明は上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００９１】
本発明の配管カバーおよび給湯装置は、高層階の壁面に設置された場合、強風などの外力を受けてねじ固定部が破壊されても、強固な係止構造により、フロントカバーのカバー本体からの脱落を防止できる。
【符号の説明】
【００９２】
２  給湯装置
４  装置本体
６  配管カバー
８  壁面
１０  カバー本体
１２  フロントカバー
１４−１、１４−２  側面板
１６  前面上枠
１８  前面下枠
２０  背面上固定枠
２２  背面下固定枠
２４、３６  固定ねじ
２６  固定部
２８、５８  張出部
３０  突出部
３２  ねじ孔
３４  貫通孔
３６−１  ボス部
３６−２  基端側ねじ部
３６−３  径小部
３６−４  先端側ねじ部
３８、５２  スリット
３８−１、３８−２  スリット部
４０  下縁部
４２  係止突部
４２−１、４２−４、４２−５、４２−７、４２−９、４３、４３−１、４３−３  突出部
４２−２、４２−８、４２−１０、４３−２  垂下部
４２−３、４２−６  立ち上り部
４４、４６、４８、５６  鉤止部
５０  上縁部
５４  補強部
【図１】
0006487667.tif 000002
【図２】
0006487667.tif 000003
【図３】
0006487667.tif 000004
【図４】
0006487667.tif 000005
【図５】
0006487667.tif 000006
【図６】
0006487667.tif 000007
【図７】
0006487667.tif 000008
【図８】
0006487667.tif 000009
【図９】
0006487667.tif 000010
【図１０】
0006487667.tif 000011